(57)【特許請求の範囲】
【請求項１】
波長がλである電波の送受信を行うアンテナエレメントが搭載されるとともに４辺が全てλ／４以下の矩形状に形成された高周波基板を内蔵する無線携帯端末装置であって、
前記アンテナエレメントが、前記高周波基板の矩形を構成する４辺のうちの１辺の端縁部上に、この１辺に沿って配置され、
前記高周波基板は、
当該無線携帯端末装置に内蔵された基板である内蔵基板または当該無線携帯端末装置に内蔵された導体板である内蔵導体板と、前記高周波基板とを導通可能に接続するための接続点である導通接続点が、前記アンテナエレメントが配置されている端縁部の１辺以外の３辺のうちの少なくとも１辺の端縁部上に設けられる
ことを特徴とする無線携帯端末装置。
【請求項２】
前記導通接続点を介して前記高周波基板と導通可能に接続される前記内蔵基板または前記内蔵導体板が、
前記高周波基板を挟んで前記アンテナエレメントが配置されている側と反対側において、前記アンテナエレメントと対向するように配置される
ことを特徴とする請求項１に記載の無線携帯端末装置。
【請求項３】
一端が前記導通接続点に接続されて、前記高周波基板と、前記内蔵基板または前記内蔵導体板とを導通可能に接続するための接続線である導通接続線を備え、
前記導通接続線の他端は、前記アンテナエレメントの給電部からλ／１０以上離れた位置で前記内蔵基板または前記内蔵導体板に接続される
ことを特徴とする請求項１または請求項２に記載の無線携帯端末装置。
【発明の詳細な説明】
【技術分野】
【０００１】
本発明は、アンテナが搭載される高周波基板を内蔵する無線携帯端末装置に関する。
【背景技術】
【０００２】
従来、無線通信機に内蔵されたアンテナから放射される電波の方向を所望の方向に制御するために、アンテナが搭載される高周波基板に切欠きスリットを設けたものが知られている（例えば、特許文献１を参照）。
【特許文献１】特開２００１−２７４７１９号公報
【発明の開示】
【発明が解決しようとする課題】
【０００３】
近年、バーコードを読み取る光学読取機能と、ＲＦタグとの間でデータ通信を行う無線通信機能とを有する携帯端末装置が利用されるようになってきた。
このような携帯端末装置では、利用者の使い勝手を損なわないために、バーコードを読み取るために携帯端末装置をバーコードに向ける方向と、ＲＦタグを読み取るために携帯端末装置をＲＦタグに向ける方向とが略一致していることが望ましい。すなわち、携帯端末装置に内蔵されたカメラ（以下、内蔵カメラともいう）でバーコードを読み取る方向（以下、カメラ読取方向ともいう）と、携帯端末装置に内蔵されたアンテナ（以下、内蔵アンテナともいう）から放射される電波の方向（以下、電波放射方向ともいう）とが略一致していることが望ましい。
【０００４】
したがって、電波放射方向がカメラ読取方向と一致するように、電波放射方向を制御する必要がある。しかし、電波放射方向を制御するために特許文献１に記載の技術を適用して、内蔵アンテナが搭載される高周波基板に切欠きスリットを設けると、高周波基板に設けられる高周波回路部の搭載面積が小さくなり、高周波基板の設計自由度が低下するという問題があった。
【０００５】
なお、高周波基板のサイズを大きくすることによって、電波放射方向を制御することができる。しかし、小型化が重要視される携帯端末装置では、高周波基板のサイズの拡大は望ましくない。
【０００６】
本発明は、こうした問題に鑑みなされたものであり、高周波基板の設計自由度を低下させることなく、内蔵アンテナから放射される電波の方向を制御することができる無線携帯端末装置を提供することを目的とする。
【課題を解決するための手段】
【０００７】
上記目的を達成するためになされた請求項１に記載の無線携帯端末装置は、波長がλである電波の送受信を行うアンテナエレメントが搭載されるとともに４辺が全てλ／４以下の矩形状に形成された高周波基板を内蔵する無線携帯端末装置であって、アンテナエレメントが、高周波基板の矩形を構成する４辺のうちの１辺の端縁部上に、この１辺に沿って配置され、高周波基板は、当該無線携帯端末装置に内蔵された基板である内蔵基板または当該無線携帯端末装置に内蔵された導体板である内蔵導体板と、高周波基板とを導通可能に接続するための接続点である導通接続点が、アンテナエレメントが配置されている端縁部の１辺以外の３辺のうちの少なくとも１辺の端縁部上に設けられることを特徴とする。
【０００８】
まず、４辺が全てλ／４以下の矩形状に形成された高周波基板を構成する４辺のうちの１辺の端縁部上に、この１辺に沿ってアンテナエレメントが配置され、且つ導通接続点が設けられていない場合において、アンテナエレメントが給電されたときの高周波基板に流れる電流の方向のシミュレーション結果を図３（ａ）に示す。
【０００９】
また図３（ｂ）は、図３（ａ）に示す状況におけるアンテナエレメントの指向性のシミュレーション結果を示す図である。なお図３（ｂ）では、アンテナエレメントの放射強度が大きいほど濃い色で表されている。
【００１０】
図３（ａ）に示すように、アンテナエレメントが給電されることにより、アンテナエレメントの長手方向に沿って電流が流れる（矢印Ｙ１を参照）。また、端縁部にアンテナエレメントが配置されている１辺（図３（ａ）中の辺４ａ。以下、アンテナ設置辺という）に交差する２辺（図３（ａ）中の辺４ｂ，４ｄ）のうちの一方の辺（図３（ａ）では辺４ｂ）と、アンテナ設置辺に平行な辺（図３（ａ）中の辺４ｃ。）の端縁部上において、この２辺に沿って電流が流れる（矢印Ｙ２，Ｙ３を参照）。一方、アンテナ設置辺に交差する２辺のうちの他方の辺（図３（ａ）では辺４ｄ）の端縁部上において、この１辺に沿って電流が流れない。
【００１１】
これにより、高周波基板の表面の中央部には、アンテナ設置辺に対して斜め方向となる電流が流れる（矢印Ｙ４を参照）。このため図３（ｂ）に示すように、アンテナエレメントの指向性のピークが、アンテナエレメントの正面からずれる。
【００１２】
次に、４辺が全てλ／４以下の矩形状に形成された高周波基板を構成する４辺のうちの１辺の端縁部上に、この１辺に沿ってアンテナエレメントが配置され、且つ、アンテナエレメントが配置されている端縁部の１辺以外の３辺のうちの１辺の端縁部上に導通接続点が設けられている場合において、アンテナエレメントが給電されたときの高周波基板に流れる電流の方向のシミュレーション結果を図４（ａ）に示す。
【００１３】
また図４（ｂ）は、図４（ａ）に示す状況におけるアンテナエレメントの指向性のシミュレーション結果を示す図である。なお図４（ｂ）では、アンテナエレメントの放射強度が大きいほど濃い色で表されている。
【００１４】
図４（ａ）に示すように、アンテナエレメントが給電されることにより、アンテナエレメントの長手方向に沿って電流が流れる（矢印Ｙ１１を参照）とともに、アンテナ設置辺以外の３辺の端縁部上において、この３辺に沿って電流が流れる（矢印Ｙ１２，Ｙ１３，Ｙ１４，Ｙ１５を参照）。
【００１５】
これにより、高周波基板４の表面４ｅの中央部には、辺４ａに対して略平行方向となる電流が流れる（矢印Ｙ１６を参照）。このため図４（ｂ）に示すように、アンテナエレメントの指向性のピークが、アンテナエレメントの正面近傍になる。
【００１６】
次に、図６〜図８は、アンテナ設置辺以外の３辺の端縁部上において、この３辺に沿って、１つの導通接続点を移動させて配置した場合のアンテナエレメントの指向性のシミュレーション結果を示す図である。
【００１７】
なお、図６（ａ），（ｂ），（ｃ），（ｄ），（ｅ），（ｆ），（ｇ），（ｈ），（ｉ）はそれぞれ、図５の位置Ｐ１，Ｐ２，Ｐ３，Ｐ４，Ｐ５，Ｐ６，Ｐ７，Ｐ８，Ｐ９に導通接続点が配置された場合のシミュレーション結果を示す。また、図７（ａ），（ｂ），（ｃ），（ｄ），（ｅ），（ｆ），（ｇ），（ｈ），（ｉ），（ｊ），（ｋ）はそれぞれ、図５の位置Ｐ９，Ｐ１０，Ｐ１１，Ｐ１２，Ｐ１３，Ｐ１４，Ｐ１５，Ｐ１６，Ｐ１７，Ｐ１８，Ｐ１９に導通接続点が配置された場合のシミュレーション結果を示す。また、図８（ａ），（ｂ），（ｃ），（ｄ），（ｅ），（ｆ），（ｇ），（ｈ），（ｉ）はそれぞれ、図５の位置Ｐ１９，Ｐ２０，Ｐ２１，Ｐ２２，Ｐ２３，Ｐ２４，Ｐ２５，Ｐ２６，Ｐ２７に導通接続点が配置された場合のシミュレーション結果を示す。なお図６〜図８では、アンテナエレメント３の放射強度が大きいほど濃い色で表されている。
【００１８】
図６〜図８に示すように、導通接続点を、アンテナ設置辺以外の３辺の端縁部上において、この３辺に沿って配置することにより、アンテナエレメントの指向性のピークの位置を、導通接続点が配置されていない場合の指向性のピークの位置から移動させることができる。
【００１９】
一方、図９（ａ）に示すように、高周波基板の中央部に導通接続点を配置した場合には、図９（ｂ）に示すように、アンテナエレメントの指向性のピークの位置は、導通接続点が配置されていない場合の指向性のピークの位置と比べてほとんど変化しない。これは、高周波基板の中央部に導通接続点を配置しても、高周波基板の端縁部に沿って流れる電流を制御することができないためである。
【００２０】
以上より、請求項１に記載の無線携帯端末装置によれば、アンテナエレメントから放射される電波の方向を制御することができる。また、導通接続点が高周波基板の端縁部に配置されるため、導通接続点が設けられることによる高周波基板の設計自由度の低下を抑制することができる。
【００２１】
また請求項１に記載の無線携帯端末装置において、アンテナエレメントの指向性のピークがアンテナエレメントの正面近傍になるようにするには、請求項２に記載のように、導通接続点を介して高周波基板と導通可能に接続される内蔵基板または内蔵導体板が、高周波基板を挟んでアンテナエレメントが配置されている側と反対側において、アンテナエレメントと対向するように配置されるようにするとよい。
【００２２】
これは、内蔵基板または内蔵導体板が、高周波基板を挟んでアンテナエレメントと対向しないように配置されている場合には（図１５（ａ）を参照）、アンテナエレメントの指向性のピークがアンテナエレメントの正面からずれる（図１５（ｂ）を参照）のに対し、内蔵基板または内蔵導体板が、高周波基板を挟んでアンテナエレメントと対向するように配置されている場合には（図１４（ａ）を参照）、アンテナエレメントの指向性のピークがアンテナエレメントの正面近傍になる（図１４（ｂ）を参照）からである。
【００２３】
また請求項１または請求項２に記載の無線携帯端末装置において、アンテナエレメントの指向性のピークがアンテナエレメントの正面近傍になるようにするには、請求項３に記載のように、一端が導通接続点に接続されて、高周波基板と、内蔵基板または内蔵導体板とを導通可能に接続するための接続線である導通接続線を備え、導通接続線の他端は、アンテナエレメントの給電部からλ／１０以上離れた位置で内蔵基板または内蔵導体板に接続されるようにするとよい。
【００２４】
この理由を以下に説明する。
まず、導通接続線の一端が給電部の近傍で内蔵基板と接続されている場合（図１０（ａ）を参照）と、導通接続線の一端が給電部からλ／１０より少し短い距離離れた位置で内蔵基板と接続されている場合（図１１（ａ）を参照）には、アンテナエレメントの指向性のピークがアンテナエレメントの正面からずれる（図１０（ｂ），図１１（ｂ）を参照）。
【００２５】
一方、導通接続線の一端が給電部からλ／１０離れた位置で内蔵基板と接続されている場合（図１２（ａ）を参照）と、導通接続線の一端が給電部からλ／１０より少し長い距離離れた位置で内蔵基板と接続されている場合（図１３（ａ）を参照）には、アンテナエレメントの指向性のピークがアンテナエレメントの正面近傍になる（図１２（ｂ），図１３（ｂ）を参照）。
【００２６】
また、給電部からλ／１０より十分長い距離離れた位置で導通接続線の一端が内蔵基板と接続されている場合（図２を参照）には、アンテナエレメントの指向性のピークが、アンテナエレメントの正面近傍になる（図４（ｂ）を参照）。
【００２７】
以上より、給電部からの距離がλ／１０以上となる位置で導通接続線の一端が内蔵基板８と接続されている場合には、アンテナエレメントの指向性のピークがアンテナエレメント３の正面近傍になる。
【発明を実施するための最良の形態】
【００２８】
以下に本発明の実施形態について図面をもとに説明する。
図１は本発明が適用された無線携帯端末装置１の全体構成図、図２は高周波基板４及び内蔵基板８の斜視図である。
【００２９】
無線携帯端末装置１は、図１に示すように、無線携帯端末装置１の構成要素を収容する略直方体の筺体２と、ＲＦタグ（不図示）との間でデータ通信を行うためのアンテナエレメント３と、アンテナエレメント３が搭載される高周波基板４と、バーコード（不図示）を読み取るカメラユニット５と、各種情報を表示する表示パネル６と、利用者により操作可能な複数の操作キー７と、無線携帯端末装置１を制御するための制御回路が搭載された内蔵基板８と、無線携帯端末装置１の構成要素に電源を供給するバッテリ９とから構成される。
【００３０】
これらのうち筺体２は、その表面２ａを形成する表面板１１に表示パネル６と操作キー７が装着されている。なお、長手方向の先端側面１２側に表示パネル６が、長手方向の後端側面１３側に操作キー７が配置されている。
【００３１】
また筺体２は、その裏面２ｂを形成する裏面板１４に、カメラユニット５とバッテリ９が装着されている。なお、高周波基板４を挟んで長手方向の先端側面１２側にカメラユニット５が、長手方向の後端側面１３側にバッテリ９が配置されている。
【００３２】
また高周波基板４は、操作キー７と非対向となる位置に配置される。これは、人体が触れる頻度が多い部分である操作キー７周辺にアンテナエレメント３が配置されないようにするためである。
【００３３】
また図２に示すように、高周波基板４は矩形状に形成されている。そしてアンテナエレメント３が、高周波基板４の矩形を構成する４辺４ａ，４ｂ，４ｃ，４ｄうちの１辺４ａの端縁部上において、この１辺４ａに沿って配置される。なお、高周波基板４の表面４ｅには、アンテナエレメント３の近傍で且つ辺４ｂの近傍となる位置に、アンテナエレメント３の給電部３ａが設けられている。
【００３４】
また高周波基板４は、４辺４ａ，４ｂ，４ｃ，４ｄの長さがそれぞれλ／４以下である。ここで、「λ」は、アンテナエレメント３が送受信を行う電波の波長を示す。本実施形態では、「λ」は９５０ＭＨｚである。そして高周波基板４には、高周波基板４と内蔵基板８とを導通させるための接続線２０の一端が接続される接続点２１が設けられている。
【００３５】
なお接続点２１は、アンテナエレメント３が配置されている端縁部の辺４ａ以外の３辺４ｂ，４ｃ，４ｄのうちの少なくとも１辺の端縁部上に設けられる。本実施形態では、接続点２１は、辺４ｃと辺４ｄとが交差する角部に配置されている。
【００３６】
図３（ａ）は、高周波基板４と内蔵基板８とが導通可能に接続されていない場合にアンテナエレメント３が給電されたときの高周波基板４に流れる電流の方向のシミュレーション結果を示す図である。また図３（ｂ）は、図３（ａ）に示す状況におけるアンテナエレメント３の指向性のシミュレーション結果を示す図である。なお図３（ｂ）では、アンテナエレメント３の放射強度が大きいほど濃い色で表されている。
【００３７】
図３（ａ）に示すように、アンテナエレメント３が給電されることにより、アンテナエレメント３の長手方向に沿って電流が流れる（矢印Ｙ１を参照）とともに、辺４ｂ，４ｃの端縁部上において、この辺４ｂ，４ｃに沿って電流が流れる（矢印Ｙ２，Ｙ３を参照）。一方、辺４ｄの端縁部上において、この１辺４ｄに沿って電流が流れない。なお辺４ｂは、辺４ａに交差するとともに給電部３ａが近傍に配置されている辺である。また辺４ｃは、辺４ａと平行な辺である。また４ｄは、辺４ｂと平行な辺である。
【００３８】
これにより、高周波基板４の中央部には、辺４ａに対して斜め方向となる電流が流れる（矢印Ｙ４を参照）。このため図３（ｂ）に示すように、アンテナエレメント３の指向性のピークが、アンテナエレメント３の正面からずれる。なお、これら図３（ａ），（ｂ）に示す現象は、高周波基板４の４辺がλ／４以下である場合に生じる。
【００３９】
図４（ａ）は、高周波基板４と内蔵基板８とが接続点２１を介して導通可能に接続されている場合にアンテナエレメント３が給電されたときの高周波基板４に流れる電流の方向のシミュレーション結果を示す図である。また図４（ｂ）は、図４（ａ）に示す状況におけるアンテナエレメント３の指向性のシミュレーション結果を示す図である。
【００４０】
図４（ａ）に示すように、アンテナエレメント３が給電されることにより、アンテナエレメント３の長手方向に沿って電流が流れる（矢印Ｙ１１を参照）とともに、辺４ｂ，４ｃ，４ｄの端縁部上において、この辺４ｂ，４ｃ，４ｄに沿って電流が流れる（矢印Ｙ１２，Ｙ１３，Ｙ１４，Ｙ１５を参照）。
【００４１】
これにより、高周波基板４の中央部には、辺４ａに対して略平行方向となる電流が流れる（矢印Ｙ１６を参照）。このため図４（ｂ）に示すように、アンテナエレメント３の指向性のピークが、アンテナエレメント３の正面近傍になる。
【００４２】
図５は、図６〜図８に示すシミュレーション結果における接続点２１の配置を示す高周波基板４の平面図である。
図６は、辺４ａと辺４ｄとが交差する角部Ｋ１（図５を参照）から辺４ｃと辺４ｄとが交差する角部Ｋ２（図５を参照）までの間で辺４ｄに沿って等間隔で接続点２１を移動させた場合（図５の矢印Ｙ２１を参照）のアンテナエレメント３の指向性のシミュレーション結果を示す図である。図６（ａ），（ｂ），（ｃ），（ｄ），（ｅ），（ｆ），（ｇ），（ｈ），（ｉ）はそれぞれ、図５の位置Ｐ１，Ｐ２，Ｐ３，Ｐ４，Ｐ５，Ｐ６，Ｐ７，Ｐ８，Ｐ９に接続点２１が配置された場合のシミュレーション結果を示す。
【００４３】
図７は、辺４ｃと辺４ｄとが交差する角部Ｋ２から辺４ｂと辺４ｃとが交差する角部Ｋ３（図５を参照）までの間で辺４ｃに沿って等間隔で接続点２１を移動させた場合（図５の矢印Ｙ２２を参照）のアンテナエレメント３の指向性のシミュレーション結果を示す図である。図７（ａ），（ｂ），（ｃ），（ｄ），（ｅ），（ｆ），（ｇ），（ｈ），（ｉ），（ｊ），（ｋ）はそれぞれ、図５の位置Ｐ９，Ｐ１０，Ｐ１１，Ｐ１２，Ｐ１３，Ｐ１４，Ｐ１５，Ｐ１６，Ｐ１７，Ｐ１８，Ｐ１９に接続点２１が配置された場合のシミュレーション結果を示す。
【００４４】
図８は、辺４ｂと辺４ｃとが交差する角部Ｋ３から辺４ｂとアンテナエレメント３とが交差する角部Ｋ４（図５を参照）までの間で辺４ｂに沿って等間隔で接続点２１を移動させた場合（図５の矢印Ｙ２３を参照）のアンテナエレメント３の指向性のシミュレーション結果を示す図である。図８（ａ），（ｂ），（ｃ），（ｄ），（ｅ），（ｆ），（ｇ），（ｈ），（ｉ）はそれぞれ、図５の位置Ｐ１９，Ｐ２０，Ｐ２１，Ｐ２２，Ｐ２３，Ｐ２４，Ｐ２５，Ｐ２６，Ｐ２７に接続点２１が配置された場合のシミュレーション結果を示す。
【００４５】
なお図６〜図８では、アンテナエレメント３の放射強度が大きいほど濃い色で表されている。
図６〜図８に示すように、接続点２１をＰ１〜Ｐ２７に配置することにより、アンテナエレメント３の指向性のピークの位置を、接続点２１が配置されていない場合の指向性のピークの位置から移動させることができる。
【００４６】
図９（ａ）は、図９（ｂ）に示すシミュレーション結果における接続点２１の配置を示す高周波基板４の平面図である。また図９（ｂ）は、図９（ａ）に示す位置に接続点２１を配置した場合のアンテナエレメント３の指向性のシミュレーション結果を示す図である。
【００４７】
図９（ａ）に示すように、高周波基板４の中央部に接続点２１を配置した場合には、図９（ｂ）に示すように、アンテナエレメント３の指向性のピークの位置は、接続点２１が配置されていない場合の指向性のピークの位置と比べてほとんど変化しない。
【００４８】
以上より、無線携帯端末装置１によれば、アンテナエレメント３から放射される電波の方向を制御することができる。また、接続点２１が高周波基板４の端縁部に配置されるため、接続点２１が設けられることによる高周波基板４の設計自由度の低下を抑制することができる。
【００４９】
図１０（ａ）は、接続線２０の一端２０ａが給電部３ａの近傍で内蔵基板８と接続されていることを示す高周波基板４及び内蔵基板８の平面図である。図１１（ａ）は、接続線２０の一端２０ａが給電部３ａからλ／１０より少し短い距離離れた位置で内蔵基板８と接続されていることを示す高周波基板４及び内蔵基板８の平面図である。図１２（ａ）は、接続線２０の一端２０ａが給電部３ａからλ／１０離れた位置で内蔵基板８と接続されていることを示す高周波基板４及び内蔵基板８の平面図である。図１３（ａ）は、接続線２０の一端２０ａが給電部３ａからλ／１０より少し長い距離離れた位置で内蔵基板８と接続されていることを示す高周波基板４及び内蔵基板８の平面図である。
【００５０】
図１０（ｂ），図１１（ｂ），図１２（ｂ），図１３（ｂ）はそれぞれ、図１０（ａ），図１１（ａ），図１２（ａ），図１３（ａ）に示す状況におけるアンテナエレメント３の指向性のシミュレーション結果を示す図である。なお図１０（ｂ），図１１（ｂ），図１２（ｂ），図１３（ｂ）では、アンテナエレメント３の放射強度が大きいほど濃い色で表されている。
【００５１】
図１０（ａ），図１１（ａ）に示すように、給電部３ａからの距離がλ／１０未満となる位置で接続線２０の一端２０ａが内蔵基板８と接続されている場合には、図１０（ｂ），図１１（ｂ）に示すように、アンテナエレメント３の指向性のピークが、アンテナエレメント３の正面からずれる。
【００５２】
一方、図１２（ａ），図１３（ａ）に示すように、接続線２０の一端２０ａが給電部３ａからλ／１０離れた位置、及びλ／１０より少し長い距離離れた位置で接続線２０の一端が内蔵基板８と接続されている場合には、図１２（ｂ），図１３（ｂ）に示すように、アンテナエレメント３の指向性のピークがアンテナエレメント３の正面近傍になる。また図２に示すように、給電部３ａからλ／１０より十分長い距離離れた位置で接続線２０の一端２０ａが内蔵基板８と接続されている場合には、図４（ｂ）に示すように、アンテナエレメント３の指向性のピークが、アンテナエレメント３の正面近傍になる。したがって、給電部３ａからの距離がλ／１０以上となる位置で接続線２０の一端２０ａが内蔵基板８と接続されている場合には、アンテナエレメント３の指向性のピークがアンテナエレメント３の正面近傍になる。
【００５３】
なお図１０〜図１３は、「λ」が９５０ＭＨｚであるときの結果を示すものである。しかし「λ」がその他の波長である場合でも、給電部３ａからλ／１０以上となる位置で接続線２０の一端２０ａが内蔵基板８と接続されている場合に、アンテナエレメント３の指向性のピークがアンテナエレメント３の正面近傍になるというシミュレーション結果が得られた。
【００５４】
図１４（ａ），図１５（ａ）はそれぞれ、図１４（ｂ），図１５（ｂ）に示すシミュレーション結果における高周波基板４と内蔵基板８との位置関係を示す斜視図である。また図１４（ｂ），図１５（ｂ）はそれぞれ、図１４（ａ），図１５（ａ）に示すように高周波基板４と内蔵基板８を配置した場合のアンテナエレメント３の指向性のシミュレーション結果を示す図である。なお図１４（ａ），図１５（ａ）では、アンテナエレメント３の放射強度が大きいほど濃い色で表されている。
【００５５】
図１４（ａ）に示すように、内蔵基板８が、高周波基板４を挟んでアンテナエレメント３と対向するように配置されている場合には、図１４（ｂ）に示すように、アンテナエレメント３の指向性のピークがアンテナエレメント３の正面近傍になる。
【００５６】
一方、図１５（ａ）に示すように、内蔵基板８が、高周波基板４を挟んでアンテナエレメント３と対向しないように配置されている場合には、図１５（ｂ）に示すように、アンテナエレメント３の指向性のピークが、アンテナエレメント３の正面からずれる。
【００５７】
以上説明した実施形態において、接続点２１は本発明における導通接続点、接続線２０は本発明における導通接続線である。
以上、本発明の一実施例について説明したが、本発明は上記実施例に限定されるものではなく、本発明の技術的範囲に属する限り種々の形態を採ることができる。
【００５８】
例えば上記実施形態では、高周波基板４と内蔵基板８とが接続線２０を介して接続されるものを示した。しかし、無線携帯端末装置１に導体板が内蔵されている場合には、高周波基板４と導体板とを接続線２０を介して接続するようにしてもよい。なお、この導体板は本発明における内蔵導体板である。
【００５９】
また上記実施形態では、アンテナエレメントとして逆Ｆアンテナを用いたものを示したが、これに限られるものではなく、小型・低姿勢であり、実装基板に発生する電流影響で指向性が変化するアンテナ（逆Ｌアンテナ、ＰＩＦＡ、チップアンテナなど）であればよい。
【図面の簡単な説明】
【００６０】
【図１】無線携帯端末装置１の全体構成図である。
【図２】高周波基板４及び内蔵基板８の斜視図である。
【図３】接続点２１がない場合の、高周波基板４に流れる電流の方向と、指向性のシミュレーション結果を示す図である。
【図４】接続点２１がある場合の、高周波基板４に流れる電流の方向と、指向性のシミュレーション結果を示す図である。
【図５】接続点２１の配置を示す高周波基板４の平面図である。
【図６】等間隔で接続点２１を移動させた場合の指向性のシミュレーション結果を示す第１の図である。
【図７】等間隔で接続点２１を移動させた場合の指向性のシミュレーション結果を示す第２の図である。
【図８】等間隔で接続点２１を移動させた場合の指向性のシミュレーション結果を示す第３の図である。
【図９】接続点２１の配置を示す高周波基板４の平面図と、指向性のシミュレーション結果を示す図である。
【図１０】接続線２０の一端の位置と、指向性のシミュレーション結果を示す図である。
【図１１】接続線２０の一端の位置と、指向性のシミュレーション結果を示す図である。
【図１２】接続線２０の一端の位置と、指向性のシミュレーション結果を示す図である。
【図１３】接続線２０の一端の位置と、指向性のシミュレーション結果を示す図である。
【図１４】高周波基板４と内蔵基板８との位置関係と、指向性のシミュレーション結果を示す図である。
【図１５】高周波基板４と内蔵基板８との位置関係と、指向性のシミュレーション結果を示す図である。
【符号の説明】
【００６１】
１…無線携帯端末装置、２…筺体、３…アンテナエレメント、３ａ…給電部、４…高周波基板、５…カメラユニット、６…表示パネル、７…操作キー、８…内蔵基板、９…バッテリ、２０…接続線、２１…接続点
【図１】
0005102116.tif 000002
【図２】
0005102116.tif 000003
【図３】
0005102116.tif 000004
【図４】
0005102116.tif 000005
【図５】
0005102116.tif 000006
【図６】
0005102116.tif 000007
【図７】
0005102116.tif 000008
【図８】
0005102116.tif 000009
【図９】
0005102116.tif 000010
【図１０】
0005102116.tif 000011
【図１１】
0005102116.tif 000012
【図１２】
0005102116.tif 000013
【図１３】
0005102116.tif 000014
【図１４】
0005102116.tif 000015
【図１５】
0005102116.tif 000016